(57)【要約】【課題】大きい研磨速度を確保するとともに、上定盤のワークへの追従性の向上を図り、加工能力を高めた４ウェイ方式の両面研磨装置を提供する。【解決手段】回動式駆動ツメ１３の両側の円弧面１３ａの一部である接触部１３ｃのみを嵌合溝１１ａに線接触（または点接触）させて接触面積を減らすことにより嵌合溝１１ａに対して回動式駆動ツメ１３を摺動容易とし、回動式駆動ツメ１３が設けられる上定盤のワークに対する姿勢変動能力を高めた両面研磨装置とした。【選択図】図４
2011152622.tif 000002
【特許請求の範囲】
【請求項１】
外周に歯面を形成するとともにワーク保持孔を穿設したワークキャリアを、水平面内に配置された太陽歯車と内歯歯車との間に複数個噛合わせておき、このワーク保持孔にワークを挿入したワークキャリアの表裏両面を、下定盤と、吊り下げ部からワイヤにより吊り下げ支持される上定盤と、の間に挟み込んだ状態にして、太陽歯車と内歯歯車とを回転させることでワークキャリアを遊星運動させ、同時に下定盤および上定盤をワークキャリアに対して相対的に回転させてワークをラッピングまたはポリッシングする遊星歯車方式の両面研磨装置において、
中央に孔部を有し、上定盤上に設けられる環状の上定盤リングと、
上定盤リングの中央の孔部から突出するようになされ、円柱状であって外周に複数の嵌合溝が設けられる上定盤駆動ドラムと、
上定盤リング上の中央の孔部を挟んで対角位置に一対で設けられ、上定盤駆動ドラムの嵌合溝に入り込んで両側の円弧面が嵌合溝と当接して上定盤駆動ドラムと上定盤リングとを連結する回動式駆動ツメと、
を備えたことを特徴とする両面研磨装置。
【請求項２】
請求項１に記載の両面研磨装置において、
前記回動式駆動ツメは、両面が傾斜する尖端部が設けられ、また、
前記上定盤駆動ドラムは、開口部から離れるに連れて幅が狭まる誘導溝が前記嵌合溝の入口に設けられ、
鉛直方向に負荷を発生させることなく前記回動式駆動ツメを前記嵌合溝内へ誘導することを特徴とする両面研磨装置。
【請求項３】
請求項１または請求項２に記載の両面研磨装置において、
前記上定盤リングと前記吊り下げ部との間にあって、円周上に等間隔で設けられた複数の支柱と、
柔軟材による筒状の緩衝体カラーと、
前記支柱の先端に締結される抜け留め部と、
を備え、
緩衝体カラーが嵌め込まれた前記支柱が前記吊り下げ部の貫通孔内に遊挿されるとともに前記支柱の先端に抜け留め部が締結され、前記吊り下げ部に対して前記支柱を遊支することを特徴とする両面研磨装置。
【発明の詳細な説明】
【技術分野】
【０００１】
本発明は、シリコン、ガラス、金属その他種々の材料により形成されたワークの両面にラップ／ポリッシュ加工を行う両面研磨装置に関する。
【背景技術】
【０００２】
両面研磨装置は、シリコンウエハ、ガラス板等のワーク（以下、単にワークという）に対して研磨加工を行う装置として用いられている。このような両面研磨装置では、大別して３ウェイ方式の両面研磨装置と、４ウェイ方式の両面研磨装置と、が知られている。
【０００３】
このような３ウェイ方式の両面研磨装置の従来技術として、例えば、特許文献１（特許第３２６２８０８号公報）に記載の遊星歯車方式平行平面加工盤が知られている。
この遊星歯車方式平行平面加工盤は、特許文献１の第１図，第２図に記載のように吊り板からエンドレスのワイヤロープにより吊り下げられて多数箇所で支持される上定盤としたため、上定盤の姿勢変動が可能となっており、上定盤がワークに倣うようになっている。このような遊星歯車方式平行平面加工盤はワークに対する上定盤の追従性が向上し、ワークの加工精度を向上させている。
【０００４】
また、４ウェイ方式の両面研磨装置の従来技術として、特許文献１の従来技術例が一般的に知られている。この遊星歯車方式平行平面加工盤は、特許文献１の第４図，第５図に記載のように自在継手により支持される上定盤を駆動軸に連結するため、上定盤に取り付けられたキーを駆動軸のキー溝に嵌合して連結する構成としている。この構成では駆動溝のキー溝に沿って上定盤のキーが移動できるため、回転する上定盤の上下方向の移動を可能とし、上定盤がワークに倣うようにしている。
【０００５】
また、４ウェイ方式の両面研磨装置の他の従来技術として、例えば、特許文献２（特開２００３−９４３１９号公報）に記載の両面研磨装置が知られている。この両面研磨装置は吊りプレートから吊り部材により吊り下げられて多数箇所で支持される上定盤としている。この上定盤は駆動軸に連結される。この構成では上定盤の上下方向の移動を可能とし、上定盤がワークに倣うようにしている。
【０００６】
また、４ウェイ方式の両面研磨装置の他の従来技術として、例えば、特許文献３（特開平４−３６０７６４号公報）に記載の研磨装置が知られている。この両面研磨装置はフリージョイントにより支持される取り付け小片から、複数の鋼線からなる鋼線群により、吊り下げられて多数箇所で支持される上定盤としている。上定盤の３次元方向の移動を可能とし、上定盤がワークに倣うようにしている。
これら３ウェイ方式および４ウェイ方式の両面研磨装置は使用用途に応じて使い分けられており、両方式が採用されている。
【先行技術文献】
【特許文献】
【０００７】
【特許文献１】特許第３２６２８０８号公報
【特許文献２】特開２００３−９４３１９号公報
【特許文献３】特開平４−３６０７６４号公報
【発明の概要】
【発明が解決しようとする課題】
【０００８】
３ウェイ方式の両面研磨装置は、追従性に優れており、ワークを精度よく研磨することができる。しかしながら、上定盤が回転しないため、４ウェイ方式の両面研磨装置よりも研磨速度が小さくなる。
一方、４ウェイ方式の両面研磨装置は上下定盤共に回転するため、研磨速度に優れている。しかしながら、上定盤を移動させるために上定盤と駆動部との連結部を形成するが、上定盤がワークに倣って傾斜したときにこの連結部に強い力が加わって上定盤が追従しにくくなる場合もあり、追従性が３ウェイ方式よりも劣るため、３ウェイ方式の両面研磨装置よりも加工精度が劣る。
【０００９】
そこで、３ウェイ方式で研磨速度を大きくすることが考えられるが、単に研磨速度を大きくしてもワークを精度よく研磨できないという問題もある。この点について、３ウェイ方式と４ウェイ方式とで研磨速度を同じとして両者を比較しつつ説明する。図７は両面研磨装置の相対運動を説明する説明図である。なお、加工精度に影響する軌跡密度を求めるには、キャリアの自転を考慮しなくてはならないが、ここでは、簡略的にキャリアの公転のみ考慮した説明としている。
【００１０】
左が４ウェイ方式の相対運動を説明する説明図である。４ウェイ方式では、一般的には、下定盤の回転比率を３としたとき、キャリアの公転を１とし、上定盤を−１とする。したがって、ワーク下面の走行距離は２、上面の走行距離も２で上下面同一になる。
【００１１】
右が３ウェイ方式の相対運動を説明する説明図である。３ウェイ方式において、４ウェイ方式と同等な運動を与えるには、下定盤の回転比率を４とし、上定盤は回転しないからキャリアの公転を２にすれば、ワーク下面の走行距離は２，上面の走行距離も２となり、相対運動として同等になる。
【００１２】
具体例を挙げると、４ウェイ方式において、下定盤を毎分３０回転、上定盤を逆転で１０回転させたものとする。ここで加工能率はワークの走行距離と荷重に支配される。同じ相対移動距離にするには同じ研磨速度とすれば加工能率は同じになる。加工能率を同じにする、すなわち研磨速度を同一にするには、３ウェイ方式では、下定盤を４０回転、キャリアを２０公転とすることで同一条件となる。
【００１３】
このように研磨速度を同じにするには、３ウェイ方式では上定盤が回転しないため、下定盤速度を３０〜４０％アップ、キャリアの回転速度を２倍程度にして４ウェイ方式と同等の研磨速度を達成しているが、このように４ウェイ方式と同程度の研磨速度を実現する加工条件ではワークに大きな負荷が掛るため歩留まりが悪化してしまう。このように３ウェイ方式で研磨速度を単純に上げると加工精度が犠牲になるという問題があった。
【００１４】
まとめると、３ウェイ方式では上定盤の高い追従性により加工精度の向上が見込めるが研磨速度の低下の点で問題があった。
また、４ウェイ方式では研磨速度の向上が見込めるが上定盤の追従性は３ウェイ方式より劣るため加工精度の低下の点で問題があった。
【００１５】
また、特許文献１に記載の遊星歯車方式平行平面加工盤（第１図，図２図）でも、３ウェイ方式であるため、上定盤が非回転であり、研磨速度が低下することが難点であった。  さらにまた、特許文献１に記載の４ウェイ方式の従来技術の遊星歯車方式平行平面加工盤（第４図，図５図）では、上定盤と駆動軸の連結にキーとキー溝を採用しているが、上定盤の三次元移動によりこの接触部での面圧が大きくなると大きな摩擦力が発生して、上定盤の面倣い動作が円滑に行われないという懸念があった。また、通常のキーは、図８で示すように、キーの当接面に平面を含む扁平六角形形状であるためキーとキー溝は面接触することがあり、摩擦力が大きいという問題もあった。
【００１６】
また、特許文献２に記載の両面研磨装置では、ワイヤ吊り方式で上定盤を吊り板と同期させて回転させる場合、ワイヤ等の線材を介して吊り板へ回転力を伝達するため、回転方向への同期ずれが発生する。特に上定盤の回転駆動時や停止時にこの同期が大きくずれたり、水平面方向への振れなどが発生しやすく、安全上の問題があった。また、このような構成では、上定盤が下定盤へ倣う動作をした場合、線材の張力が小さい場所と大きい場所とが発生してワークへの面圧が不均一となり、ワークの加工精度が悪化することは明らかである。
【００１７】
また、特許文献３に記載の研磨装置では、吊り板上部に自在継手を設けて上定盤を下定盤へ倣わせる構造であり、自在継手を回転中心とする回動の自由度は付与されるが水平面内での自由度がなく、ワークへ作用させる面圧を均一に保持することが難しかった。また、このような構成では、上定盤が下定盤へ倣う動作をした場合、線材の張力が小さい場所と大きい場所とが発生してワークへの面圧が不均一となり、ワークの加工精度が悪化することは明らかである。
【００１８】
そこで、本発明は上記した問題に鑑みてなされたものであり、その目的は、大きい研磨速度を確保するとともに、上定盤のワークへの追従性の向上を図り、加工能力を高めた４ウェイ方式の両面研磨装置を提供することにある。
【課題を解決するための手段】
【００１９】
本発明の請求項１に係る両面研磨装置は、
外周に歯面を形成するとともにワーク保持孔を穿設したワークキャリアを、水平面内に配置された太陽歯車と内歯歯車との間に複数個噛合わせておき、このワーク保持孔にワークを挿入したワークキャリアの表裏両面を、下定盤と、吊り下げ部からワイヤにより吊り下げ支持される上定盤と、の間に挟み込んだ状態にして、太陽歯車と内歯歯車とを回転させることでワークキャリアを遊星運動させ、同時に下定盤および上定盤をワークキャリアに対して相対的に回転させてワークをラッピングまたはポリッシングする遊星歯車方式の両面研磨装置において、
中央に孔部を有し、上定盤上に設けられる環状の上定盤リングと、
上定盤リングの中央の孔部から突出するようになされ、円柱状であって外周に複数の嵌合溝が設けられる上定盤駆動ドラムと、
上定盤リング上の中央の孔部を挟んで対角位置に一対で設けられ、上定盤駆動ドラムの嵌合溝に入り込んで両側の円弧面が嵌合溝と当接して上定盤駆動ドラムと上定盤リングとを連結する回動式駆動ツメと、
を備えたことを特徴とする。
【００２０】
また、本発明の請求項２に係る両面研磨装置は、
請求項１に記載の両面研磨装置において、
前記回動式駆動ツメは、両面が傾斜する尖端部が設けられ、また、
前記上定盤駆動ドラムは、開口部から離れるに連れて幅が狭まる誘導溝が前記嵌合溝の入口に設けられ、
鉛直方向に負荷を発生させることなく前記回動式駆動ツメを前記嵌合溝内へ誘導することを特徴とする。
【００２１】
また、本発明の請求項３に係る両面研磨装置は、
請求項１または請求項２に記載の両面研磨装置において、
前記上定盤リングと前記吊り下げ部との間にあって、円周上に等間隔で設けられた複数の支柱と、
柔軟材による筒状の緩衝体カラーと、
前記支柱の先端に締結される抜け留め部と、
を備え、
緩衝体カラーが嵌め込まれた前記支柱が前記吊り下げ部の貫通孔内に遊挿されるとともに前記支柱の先端に抜け留め部が締結され、前記吊り下げ部に対して前記支柱を遊支することを特徴とする。
【発明の効果】
【００２２】
本発明によれば、大きい研磨速度を確保するとともに、上定盤のワークへの追従性の向上を図り、加工能力を高めた４ウェイ方式の両面研磨装置を提供することができる。
【図面の簡単な説明】
【００２３】
【図１】本発明を実施するための形態の両面研磨装置の側断面図である。
【図２】吊り下げ部と支柱との支持機構を説明するＡ部拡大断面図である。
【図３】上定盤駆動ドラムのＡ−Ａ矢視図である。
【図４】回動式駆動ツメのＢ−Ｂ線断面図であり、図４（ａ）は本形態の回動式駆動ツメの断面図、図４（ｂ）は他の形態の回動式駆動ツメの断面図である。
【図５】上定盤駆動ドラムのＣ−Ｃ線断面図であり、図５（ａ）は回動式駆動ツメ開放状態図、図５（ｂ）は回動式駆動ツメ嵌合状態図である。
【図６】他の形態の上定盤駆動ドラムおよび駆動ツメの斜視外観図である。
【図７】両面研磨装置の相対運動を説明する説明図である。
【図８】従来技術のキーの断面図である。
【発明を実施するための形態】
【００２４】
続いて、本発明を実施するための形態について図を参照しつつ以下に説明する。まず、両面研磨装置１００について図１，図２，図３，図４，図５を参照しつつ説明する。両面研磨装置１００は、ワーク２００を平面加工する装置である。両面研磨装置１００の機械駆動系の構成は、図１で示すように、上定盤支持軸１、吊り下げ部２、軸受け部３、蓋部４、上定盤５、上定盤リング６、第１プーリ７、第２プーリ８、エンドレスワイヤロープ９、支柱１０、上定盤駆動ドラム１１、軸支部１２、回動式駆動ツメ１３、下定盤１４、下定盤支持部１５、太陽歯車１６、内歯歯車１７、太陽歯車駆動軸１８、内歯歯車支持部１９、ドラム駆動軸２０、ワークキャリア２１を備える。
【００２５】
続いて各構成について説明する。
上定盤支持軸１は、図示しない上定盤昇降駆動部に連結されており、矢印ａ方向に昇降駆動される。
吊り下げ部２は、板体であって、側面に第１プーリ７が取り付けられる程度に厚みがあり、平面視で円形やｎ角形（例えば、五角形、六角形）として構成されている。吊り下げ部２は、上定盤支持軸１に対して回転するように取り付けられる。
【００２６】
軸受け部３は、上定盤支持軸１と吊り下げ部２との間に介在して設けられており、上定盤支持軸１を回転軸として吊り下げ部２が回転自在となるように支持する。例えば、軸受け部３としては通常の玉軸受けなどが用いられており、その内輪部が吊り下げ部２に固定される。
蓋部４は、軸受け部３の外輪部を吊り下げ部２に固定する。
【００２７】
上定盤５は、環状円板であり、下面にワーク２００を研磨するラップ面／ポリッシュ面を有する。上定盤５を下降させると中央の孔部に上定盤駆動ドラム１１が貫通する構造となっている。
上定盤リング６は、円環状であって、上定盤５に固定される。上定盤リング６の側面に第２プーリ８が取り付けられる程度の厚みがあり、平面視で円形やｎ角形（例えば、五角形、六角形）として構成されている。上定盤５を下降させると中央の孔部に上定盤駆動ドラム１１が貫通する構造となっている。
【００２８】
第１プーリ７は、吊り下げ部２の外周面において水平な回転軸により等間隔に複数個が取り付けられている。
第２プーリ８は、上定盤リング６の外周面において水平な回転軸により等間隔に複数個が取り付けられている。
【００２９】
エンドレスワイヤロープ９は、両端を連結してエンドレス状態とした輪状の鋼線であり、第１プーリ７と第２プーリ８との間に交互に張架される。例えば、第１プーリ７と第２プーリ８との間はエンドレスワイヤロープ９が垂直となるように支持される。このエンドレスワイヤロープ９によって上定盤リング６および上定盤５が吊り下げ部２から均等な力で吊り下げられて支持される。
このように上下方向へ移動する吊り下げ部２と、吊り下げ部２の側面から突出する複数の回転軸に軸支される複数の第１プーリ７と、上定盤リング６と、上定盤リング６の側面から突出する複数の回転軸に軸支される複数の第２プーリ８と、上定盤５の垂直方向の荷重を均等に支持するように複数の第１プーリ７と複数の第２プーリ８との間に張架されるエンドレスワイヤロープ９と、により複数箇所で均等な力により吊り下げる吊り下げ機構を構成することとなり、上定盤５の姿勢が変化したような場合であっても各ワイヤには常に均一な荷重が作用するようになっている。
【００３０】
支柱１０は、吊り下げ部２と上定盤リング６との間に複数本設けられる。これら支柱１０は、平面から視ると円周上に等間隔で設けられる。支柱１０は上定盤リング６に対して略鉛直方向に立設するように設けられる。支柱１０の下部は、上定盤リング６に対して図示しないボルトで連結固定されている。支柱１０の上部は、吊り下げ部２に遊支されるというものであり、図２のＡ部拡大図で示すように、支柱１０に細径部１０ａを形成して吊り下げ部２の貫通孔２ａに貫通させ、その上部に貫通孔２ａよりも径の大きなリング状の抜け留め部１０ｂをボルト１０ｃにより締結している。支柱１０と吊り下げ部２との間には微小な隙間が形成され、また、抜け留め部１０ｂと吊り下げ部２との間にも微小な隙間が形成されて、上下方向に移動可能とする。支柱１０の細径部１０ａの外周には樹脂製であって円筒状の柔軟材カラー１０ｄを挿入している。また、吊り下げ部２の貫通孔２ａと柔軟材カラー１０ｄとの間には適当な環状の隙間部１０ｅが形成できるような大きさを採用している。このような支持機構により、吊り下げ部２に対して上定盤５は水平方向および上下方向に微小距離移動可能となっているので、加工時などにおける上定盤の追従性を損なうことはない。
【００３１】
なお、エンドレスワイヤロープ９のみによる吊り構造では、エンドレスワイヤロープ９や第１プーリ７、第２プーリ８の一部に欠損が生じると全体の吊り状態を保持することができなくなり、最悪の場合には上定盤５が落下する懸念があるが、支柱１０の上端に付けた抜け留め部１０ｂにより落下を防止するため安全機構としても機能する。
【００３２】
構成の説明に戻るが、上定盤駆動ドラム１１は、図１，図３で示すように、円柱体であり、側面に複数（図３では例示的に６箇所）の嵌合溝１１ａが設けられている。図１で示すように、上定盤５および上定盤リング６の中央孔に上定盤駆動ドラム１１が貫通するようになされ、上定盤リング６からは上定盤駆動ドラム１１が突出するように設けられている。
一対の軸支部１２は、上定盤リング６上の中央の孔部を挟んで１８０度ピッチで対角位置に設けられる。
【００３３】
回動式駆動ツメ１３は、軸支部１２に対して回動するように構成されている。回動式駆動ツメ１３は、図３で示すように１８０度ピッチで配置されている。回動式駆動ツメ１３は、図４（ａ）で示すように、上側の両側面が円弧形状となる円弧面１３ａが設けられ、また、下側が三角形上の凸構造である尖端部１３ｂが設けられる。
【００３４】
続いて上定盤駆動ドラム１１および回動式駆動ツメ１３による連結機構について説明する。回動式駆動ツメ１３は、図５（ａ）で示すような開放状態では駆動ツメ１３が嵌合溝１１ａから出ているため、上定盤駆動ドラム１１が回転しても回転力が上定盤リング６へは伝達されない。また、上定盤駆動ドラム１１の取り外しができる。
【００３５】
まず作業者が嵌合溝１１ａと回動式駆動ツメ１３の位置合せを行なう場合について説明する。この場合は、上定盤５を回動式駆動ツメ１３の適当なレベルまで下降させた後、上定盤駆動ドラム１１を微小回転させるか、あるいは上定盤５を手動で回転させて、嵌合溝１１ａと回動式駆動ツメ１３の位置合せを行なう。
そして、図５（ａ）で示すような状態から図５（ｂ）で示すような嵌合状態とするとき、尖端部１３ｂが嵌合溝１１ａ内に入りこんで誘導されるため、確実に入り込む。このように嵌合溝１１ａに対して溝の長手方向へ円弧状の回動式駆動ツメ１３を挿入するので、嵌合動作を円滑かつ確実に行なうことができる。さらに上定盤５を駆動するとき、回動式駆動ツメ１３を線接触（或いは点接触）させているので、接触部１３ｃでの摩擦力が小さく、さらに接触面が円弧形状なので何れの箇所でも面接触とはならずに線接触（或いは点接触）を維持するものであり、上定盤５が下定盤１３へ倣う姿勢変動が円滑に行われる。このように嵌合溝１１ａの長手方向へ回動式駆動ツメ１３が円滑に摺動するので、ワーク２００に対して上定盤５が姿勢変動する倣い動作が円滑に行われ、追従性を向上させることができる。
【００３６】
また、作業者が介在せずに自動的に嵌合動作を行う場合は、予め回動式駆動ツメ１３を嵌合位置に回動させた状態として、上定盤５を下降させて上定盤駆動ドラム１１へ接近させた後、下降速度を低速度として上定盤駆動ドラム１１上部の誘導溝１１ｃの開口部から嵌合していき、所定の位置まで下降させて嵌合動作を終了する。この時、駆動ツメ下部は尖端部１３ｂに示すように三角形状であり、一方の嵌合溝凸部１１ｄの上部も同様に三角形状となっていることから、互いの嵌合位置が円周方向へずれていても嵌合動作が進行すると同時に、嵌合動作初期の尖端部１３ｂと凸部１１ｄとの接触時に鉛直方向へ発生する衝撃力を抑制することができる。さらに、尖端部１３ｂと凸部１１ｄとが接触状態で嵌合動作が進行したとき発生する回転方向への負荷は、エンドレスワイヤロープ９の変位（上定盤５の回転）および吊下げ部２の軸受部３の回動により開放することができる。
【００３７】
なお、作業者が予め位置合せを行なう場合は、尖端部１３ｂでなくとも良く、例えば、図４（ｂ）で示すような両側に円弧面１３ｄが形成された樽状の回動式駆動ツメ１３としても良い。このような回動式駆動ツメ嵌合状態では、回動式駆動ツメ１３が嵌合溝１１ａ内へ入りこんで円弧面１３ｄは嵌合溝１１ａで当接するが、両側面はやはり円弧状であることから線接触（または点接触）となっており、接触面を少なくする。回動式駆動ツメ１３は、このようなものである。
【００３８】
構成の説明に戻るが、下定盤１４は、図１で示すように、環状円板であり、上面にワーク２００を研磨するラップ面／ポリッシュ面を有する。ここに上定盤５および下定盤１４は、共通回転軸の回りを回転するものであり、下定盤１４は共通回転軸を回転中心として回転するように支持される。
下定盤支持部１５は、回転体であって、下定盤支持部１５の上面には下定盤５が固定されており、下定盤支持部１５は、下定盤５とともに図示しない下定盤回転駆動部により回転駆動される。
【００３９】
太陽歯車１６は、外周側に歯が形成されており、下定盤５の内周側に配置されている。
内歯歯車１７は、内周側に歯が形成されており、下定盤５の外周側に配置されている。
【００４０】
太陽歯車駆動軸１８は、太陽歯車１６が一体に設けられており、図示しない太陽歯車回転駆動部により太陽歯車駆動軸１８に回転力が付与され、太陽歯車駆動軸１８とともに太陽歯車１６が回転駆動される。
内歯歯車支持部１９は、概略筒状部材を含む構成であり、上側に内歯歯車１７が形成される。内歯歯車支持部１９は、図示しない内歯歯車回転駆動部により回転力が付与され、内歯歯車支持部１９とともに内歯歯車１７が回転駆動される。
【００４１】
ドラム駆動軸２０は、上側に上定盤駆動ドラム１１が固定される。ドラム駆動軸２０は太陽歯車駆動軸１８の中心孔内に配置されており、それぞれ独立して回転する。太陽歯車駆動軸１８は下定盤支持部１５の中心孔内に配置されており、それぞれ独立して回転する。従って三軸は何れも独立して回転可能であり、上定盤５、下定盤１４および太陽歯車１６はそれぞれが独立して回転する。
ワークキャリア２１は、遊星歯車が外周に形成されており、太陽歯車１６および内歯歯車１７に噛合するようになされている。ワークキャリア２１においてワークを保持するワーク保持孔が形成される。ワークキャリア２１はワークに応じて各種用意されており、１個のワークキャリア２１に１個のワーク保持孔が形成されるものであったり、または、複数個のワーク保持孔が形成されるものであったりする。このようなワークキャリア２１は、複数個配置されている。
【００４２】
これら構成のうち、上定盤支持軸１、吊り下げ部２、軸受け部３、蓋部４、上定盤５、上定盤リング６、上定盤駆動ドラム１１、下定盤１４、下定盤支持部１５、太陽歯車１６、内歯歯車１７、太陽歯車駆動軸１８、内歯歯車支持部１９、ドラム駆動軸２０の中心軸は共通軸となっている。両面研磨装置１００はこのようなものである。
【００４３】
続いて上記したような吊り下げ機構、支持機構および連結機構による動作機能について説明する。
まず、上定盤５の停止時や回転速度が一定で吊り下げ部２と上定盤５とが同期して回転する場合を想定する。この場合、水平方向への振れもなくなって安定した回転状態となっており、吊り下げ部２の貫通孔２ａと支柱１０の柔軟材カラー１０ｄとの間には隙間部１０ｅがある非接触状態となり、また、連結機構の回動式駆動ツメ１３も嵌合溝１１ａに強い力で回転方向に押しつけることなく当接した状態となっており、上定盤５はエンドレスワイヤロープ９のみで吊り下げ部２に支えられた状態となる。従って、上定盤５はワーク２００に対して上定盤５が姿勢変動し、ワーク２００に確実に倣うようになる。
【００４４】
しかしながら、起動時や制動時あるいは緊急停止時などでは、上定盤５と吊り下げ部２との間に同期ずれ（上定盤５の回転速度と吊り下げ部２の回転速度とが異なる）が発生する。起動時や制動時に時間を多く掛ければ（ゆっくり起動・ゆっくり制動）同期ずれを回避することができるが、加工時間が増大するので生産性が低下することになり好ましくない。そこで、上定盤リング６から複数の支柱１０を介して上部の吊り下げ部２へ起動時や制動時あるいは緊急停止時の駆動力が伝達されるようにして同期ずれが起きないようにし、また柔軟材カラー１０ｄおよび隙間部１０ｅにより支柱１０と吊り下げ部２との衝撃の発生を吸収している。また、連結機構の回動式駆動ツメ１３や嵌合溝１１ａに過度の力が集中することもない。これにより起動時や制動時では急加速・急減速を可能としており、加工時間を短縮できる。
【００４５】
このような支持機構を採用することで、吊り下げ部２の回転方向への同期遅れ、および、水平方向への振れなどが過大にならないように抑制することができ、安全に運用することができる。また、同期時には追従性を向上させて高い加工精度を実現する。
【００４６】
続いて、本形態の両面研磨装置１００の具体的な加工動作について加工方法とともに説明する。両面研磨装置１００は、各ワークキャリア２１のワーク保持孔に保持されたワーク２００を上定盤５と下定盤１４との間に挟み込み、各ワークキャリア２１を遊星運動させながら上定盤５および下定盤１４を互いに逆方向に回転させてワーク２００の両面の研磨加工を行い、研磨終了後、上定盤５を上昇させてワーク２００を取り出す、というものである。
【００４７】
（１）まず、ワークキャリア２１にワーク２００を設置する設置工程が行われる。この設置工程では、例えば、上定盤５が持ち上げられた状態で、ワークキャリア２１に設けられたワーク保持孔内に、複数枚のワーク２００が装着される。この装着は、手作業による装着や、ワークハンドリングロボットを用いるなどしてワークキャリア２１へのワーク２００の装着とワークキャリア２１からのワークの取り出しとを自動化した装着など、を採用しても良い。ワークキャリア２１に設けられたワーク保持穴にラッピングまたはポリッシングされる複数のワーク２００が保持された状態となる。
【００４８】
（２）続いて、上定盤５の下降速度を定常速度に設定して上定盤５の下降を行う。作業者が嵌合操作を行う場合は、この下降時では回動式駆動ツメ１３は、図５（ａ）で示すように、立てられた状態となっている。一方、自動で嵌合動作を行う場合は、回動式駆動ツメ１３は図５（ｂ）で示すように、内側へ張り出した状態となっている。
（３）上定盤駆動ドラム１１の嵌合溝１１ａに回動式駆動ツメ１３を嵌合する。この嵌合では回動式駆動ツメ１３が自動的に回動する自動回動を採用したり、または、手動により回動式駆動ツメ１３を回動する手動回動を採用することができるが、小型機では手動で位置合せして回動式駆動ツメ１３を嵌合する操作を行うことが多く、手動操作を念頭において以下説明する。
【００４９】
この操作は、さらに次の２種の嵌合方法がある。
（ａ）上定盤５を上定盤駆動ドラム１１に挿入した状態で回動式駆動ツメ１３と嵌合溝１１ａとの位置に合せるように上定盤駆動ドラム１１を回転させる。位置合わせ終了後に回動式駆動ツメ１３を嵌合溝１１ａへ入れて手動（自動でも同じ）で嵌合させる。
（ｂ）予め回動式駆動ツメ１３を回動させて張り出した状態としておく。このような状態で上定盤５を上定盤駆動ドラム１１の手前まで下降・接近させ、上定盤駆動ドラム１１の嵌合溝１１ａと回動式駆動ツメ１３との位置合せを行なった後、上定盤５をさらに下降させて回動式駆動ツメ１３を嵌合させる。
このような方法を採用することができる。
【００５０】
（４）上定盤支持軸１に加わる支持荷重を計測し、この支持荷重が所定レベルに達したら下降を停止する。
上定盤支持軸１に支持される環状の上定盤５は、上定盤支持軸１とともに昇降駆動が行われ、ワーク２００に対して適正圧力で接するような位置に決定される。
【００５１】
（５）上定盤５および下定盤１４を回転させ、加工開始する。
上定盤５に設けられたスラリー供給穴からリンスやスラリーの供給を開始しつつ、図示しない上定盤回転駆動部がドラム駆動軸２０および上定盤駆動ドラム１１を回転させると、回動式駆動ツメ１３、軸支部１２、上定盤リング６を介して上定盤５の回転が開始される。
【００５２】
同様に、下定盤１４、太陽歯車１６および内歯歯車１７も所定速度にて回転させる。下定盤１４は、下定盤回転駆動部から駆動力が伝達され、この駆動力に応じて回転する。
太陽歯車１６が太陽歯車回転駆動部により回転駆動され、また、内歯歯車１７が内歯歯車回転駆動部により回転駆動される。ワークキャリア２１の外周の歯面は太陽歯車１６および内歯歯車１７と噛合っており、ワークキャリア２１は遊星運動を開始する。太陽歯車１６および内歯歯車１７を回転させることにより上定盤５と下定盤１４とにより挟持されるワーク２００が装着されたワークキャリア２１が自転しつつ公転し、ワーク２００の両面が研磨される。
【００５３】
これら上定盤５、下定盤１４、太陽歯車１６、内歯歯車１７は、それぞれ、上定盤回転駆動部、下定盤回転駆動部、太陽歯車回転駆動部、内歯歯車回転駆動部により回転が制御されており、例えばこれら各駆動部に接続される制御装置により回転速度を調節して最適なラッピング・ポリッシングを行う。
【００５４】
（６）所定時間加工後、加工を停止する。
ワーク２００が目標とする厚みになったら上定盤５、下定盤１４、太陽歯車１６、内歯歯車１７を停止させて加工を終了する。なお、上定盤回転駆動部に回転位置検出センサがあれば回転止めが作動する適当な位置まで上定盤５を回転させることも可能である。
【００５５】
（７）回動式駆動ツメ１３を開放状態とする。
回動式駆動ツメ１３を図５（ａ）で示すような状態とし、嵌合を解除する
（８）最後に、研磨が終了したワーク２００を取り出す。
加工動作はこのようなものである。
【００５６】
なお、本形態の両面研磨装置では、嵌合溝１１ａに対して回動式駆動ツメ１３の接触面が円弧形状であるため、上定盤５がワーク２００あるいは下定盤１４へ追従する挙動を損なうことなく上定盤５を回転駆動することができるので、４ウェイ方式の両面研磨装置であるにも拘わらず、大きい研磨速度を確保しつつ上定盤５のワーク２００への追従性を向上させ、加工能力を高めている。
しかしながら、この加工動作において、両面研磨加工の多くの時間を４ウェイとして研磨速度を上げて加工し、最終段階の工程で上定盤５の回転速度を小さくしたり、または、停止したりして（従来技術の回転止め等を用いる）、上定盤５の追従性を更に向上させ、所定の厚みまで高精度な加工を行なうような加工方法を採用してもよい。
この加工方法を採用することにより、通常は回転速度を大きくして研磨速度を大きくするとともに終了間際で加工精度を更に向上させるような加工も可能になる。しかも１台の両面研磨装置で、運転モードを可変とするだけで実現することができる。
【００５７】
以上本形態の両面研磨装置について説明した。本形態の上定盤５はエンドレスワイヤロープ９および支柱１０により吊り下げる構造であるため、回転方向への自由度と鉛直方向への自由度（水平面に対して傾動の自由度）があり、回動式駆動ツメ１３と嵌合溝１１ａとの嵌合時に発生する回転方向や水平方向あるいは鉛直方向の負荷を逃がすことができ、回動式駆動ツメ１３と嵌合溝１１ａとによる嵌合部材に大きな負荷が発生することを回避することができる。
【００５８】
続いて本発明の他の形態について説明する。上定盤駆動ドラム１１は電動であるため、通常は無理に上定盤側を回す必要はないが、一般には作業者が位置決めしてから嵌合ツメを作動させて嵌合を行う方法が採られていた。そこで先の形態では手動操作により上定盤駆動ドラム１１に対して上定盤５が下降し、回動式駆動ツメ１３が嵌合溝１１ａに嵌合するものとして説明した。しかしながら、これらの作業に要する時間を短縮したり、作業者に頼らずに自動で嵌合動作を行ないたいとの要請があった。
【００５９】
ただし、嵌合工程の自動化では、上定盤５を下降して回動式駆動ツメ１３を上定盤駆動ドラム１１の嵌合溝１１ａに嵌合させる必要があるが、上定盤駆動ドラム１１の嵌合溝１１ａを回動式駆動ツメ１３位置に合せることが容易ではなかった。位置合わせがされていないと、場合によっては嵌合溝１１ａの部材を破損させるなどの問題があった。さらに回動式駆動ツメ１３と嵌合溝１１ａとによる嵌合部材に大きな負荷・変形が発生すると、加工精度に影響を生じるという問題があった。このような破損をさけるために上記のような手動操作を採用していたという面もあり、損傷等を発生させることなく自動操作とすることは容易ではなかった。
【００６０】
自動化の試みとして、嵌合溝１１ａの本数を増やして、強引に嵌合させることが考えられるが、やはり回動式駆動ツメ１３と嵌合溝１１ａが損傷するなどの問題がある。
また、自動化の他の試みとして、予め回動式駆動ツメ１３を嵌合位置に回動させてから、上定盤５を上定盤駆動ドラム１１へ下降・接近させつつ、上定盤駆動ドラム１１を低速で回転させながら回動式駆動ツメ１３を嵌合溝１１に引っ掛ける方式が考えられるが、物理的には嵌合するものの回動式駆動ツメ１３や嵌合溝１１へ大きな負荷（定盤荷重等）が掛るため採用できなかった。本形態ではこれら問題を解消し、損傷等を発生させることなく自動操作を行う両面研磨装置を目指すというものである。
【００６１】
本形態では、上定盤駆動ドラム１１に形成する嵌合溝の溝形状および回動式駆動ツメ  １３の形状を改良することで自動化を実現したものであり、先の形態の両面研磨装置と比較すると上定盤駆動ドラムおよび回動式駆動ツメの構成に特徴がある。なお、上定盤駆動ドラムおよび回動式駆動ツメ以外の構成は先の形態の構成と同じであり、他の構成は先の形態の符号と同じ符号を付し、重複する説明を省略する。
【００６２】
上定盤駆動ドラム１１は、図６で示すように、嵌合溝１１ｂ、誘導溝１１ｃ、凸部１１ｄを備える。この上定盤駆動ドラム１１の円周上には、嵌合溝１１ｂと、この嵌合溝１１ｂと連接する誘導溝１１ｃ、からなる駆動溝と凸部１１ｄとが円周上に等間隔で交互に配置されている。誘導溝１１ｃは、特に誘導しやすいように上側の開口部が広げられて、下側の嵌合溝１１ｂへの入口へ行くに連れて狭くなっている。一方、回動式駆動ツメ１３は、１８０°ピッチで対角位置２箇所に設けられており、図４（ａ）で示したような尖端部１３ｂを有する構成を採用している。また、この回動式駆動ツメ１３は図示しない駆動部による自動回動式である。
【００６３】
このような誘導溝１１ｃの開口部の間隔は、回動式駆動ツメ１３の尖端部１３ｂの下側の最尖端と比較して充分に大きくしている。また、誘導溝１１ｃを形成する凸部１１ｄの上側の最高面は狭くしている。したがって、嵌合時に誘導溝１１ｃへ尖端部１３ｂが回動しても尖端部１３ｂが凸部１１ｄの最高面と衝突することがほとんどなく、大きな負荷が回動式駆動ツメ１３へ作用しにくい（発生しにくい）構造となっている。例え尖端部１３ｂが凸部１１ｄの最高面と衝突する干渉が起きても、このときに上定盤駆動ドラム１１が僅かでも回転すれば、回動式駆動ツメ１３の尖端部１３ｂが誘導溝１１ｃに入り込むこととなり、上定盤５からの鉛直方向への大きな負荷が作用するおそれを低減している。回動式駆動ツメ１３の尖端部１３ｂが誘導溝１１ｃに入り込むと尖端部１３ｂが誘導溝１１ｃ内のテーパ部に当たってさらに嵌合溝１１ｂ内へ誘導される構造とする。こうすることで、回動式駆動ツメ１３が嵌合溝１１ｂ内を確実に移動していき嵌合される。
【００６４】
作業者が介在せずに自動的に嵌合動作を行う場合は、予め回動式駆動ツメ１３を嵌合位置に回動させた状態（張り出した状態）として、上定盤５を下降させて上定盤駆動ドラム１１へ接近させた後、下降速度を低速度として上定盤駆動ドラム１１上部の誘導溝１１ｃの開口部から嵌合していき、所定の位置まで下降させて嵌合動作を終了する。この時、駆動ツメ下部は尖端部１３ｂに示すように三角形状であり、一方の嵌合溝凸部１１ｄの上部も同様に三角形状となっていることから、互いの嵌合位置が円周方向へずれていても嵌合動作が進行すると同時に、嵌合動作初期の尖端部１３ｂと凸部１１ｄとの接触時に鉛直方向へ発生する衝撃力を抑制することができる。さらに、尖端部１３ｂと凸部１１ｄとが接触状態で嵌合動作が進行したとき発生する回転方向への負荷は、エンドレスワイヤロープ９の変位（上定盤の回転）および吊下げ部２の軸受部３の回動により開放することができる。
【００６５】
続いて自動操作について説明する。
上定盤５が駆動ツメ嵌合手前位置において低速度で下降してくる。更に下降すると回動式駆動ツメ１３の尖端部１３ｂが誘導溝１１ｃ内に入り込む。
さらに上定盤５が低速度で下降すると、回動式駆動ツメ１３の尖端部１３ｂは誘導溝１１ｃにより誘導された後に嵌合溝１１ｂ内に確実に入り込む。回動式駆動ツメ１３の嵌合はこのように行われる。
【００６６】
なお、両面研磨装置では、上記のように上定盤５はエンドレスワイヤ９で吊り下げ部２から吊り下げられて支持され、さらに吊り下げ部２は軸受け部３により上定盤支持軸１に対して回転自在に支持されている。このため上定盤５が水平方向や鉛直方向および回転方向に自由に動くことができ、嵌合工程にて回動式駆動ツメ１３と嵌合溝１１ｂとが接触しても、上定盤５が微少量移動してやはり大きな負荷が発生することはない。そして上定盤５が回動式駆動ツメ１３と嵌合溝１１ｂとの中心が一致する方向へ可動して嵌合動作が円滑に行われる。よって、装置の耐久性を損なうことなく、自動で上記の嵌合動作を行うことができる。
【００６７】
以上本発明の両面研磨装置について説明した。なお、本発明では第１プーリの数、第２プーリの数、支柱の数は特に限定する趣旨ではなく、吊り状態を維持するような適数を選択することができる。
【００６８】
このような本発明の両面研磨装置は、上定盤倣い構造は３ウェイ方式のエンドレスワイア方式を採用し、優れた面倣い機能を実現してワークの研磨精度を向上させる。また、駆動方式は４ウェイとし、大きな研磨速度を確保する。
このように３ウェイ方式と４ウェイ方式の優れた点を活かしたワイヤ吊り方式の４ウェイ両面研磨装置としており、研磨速度の増加と加工精度の向上という両者を実現することができる。
【産業上の利用可能性】
【００６９】
以上のような本発明に係る両面研磨装置は、ワークに対して、ラッピング、ポリッシング等の精度の高い平面加工を行う装置に適している。
【符号の説明】
【００７０】
１００：両面研磨装置
１：上定盤支持軸
２：吊り下げ部
２ａ：貫通孔
３：軸受け部
４：蓋部
５：上定盤
６：上定盤リング
７：第１プーリ
８：第２プーリ
９：エンドレスワイヤロープ
１０：支柱
１０ａ：細径部
１０ｂ：抜け留め部
１０ｃ：ボルト
１０ｄ：柔軟材カラー
１０ｅ：隙間部
１１：上定盤駆動ドラム
１１ａ：嵌合溝
１１ｂ：嵌合溝
１１ｃ：誘導溝
１１ｄ：凸部
１２：軸支部
１３：回動式駆動ツメ
１３ａ：円弧面
１３ｂ：尖端部
１３ｃ：接触部
１３ｄ：円弧面
１３ｅ：操作部
１４：下定盤
１５：下定盤支持部
１６：太陽歯車
１７：内歯歯車
１８：太陽歯車駆動軸
１９：内歯歯車支持部
２０：ドラム駆動軸
２１：ワークキャリア
２００：ワーク
【図１】
2011152622.tif 000003
【図２】
2011152622.tif 000004
【図３】
2011152622.tif 000005
【図４】
2011152622.tif 000006
【図５】
2011152622.tif 000007
【図６】
2011152622.tif 000008
【図７】
2011152622.tif 000009
【図８】
2011152622.tif 000010